(57)【特許請求の範囲】
【請求項１】
一端に端子挿通口を有する複数の端子収容室が一段に並列して設けられて、各端子収容室の並列方向と直交する方向に複数積層されるハウジングと、
外面からスタビライザが突出して設けられ、このスタビライザを前記ハウジングの積層方向に配しつつ前記端子挿通口から前記端子収容室へ挿入される端子金具とを備え、
前記端子収容室を囲む壁のうち、前記ハウジングの積層方向で対向する壁の一方に、前記端子挿通口に通じる開口部が開設されるとともに、前記スタビライザが通過可能な間隙を残して前記開口部を閉止するストッパ壁が設けられており、前記端子収容室を囲む壁のうち、前記ハウジングの積層方向で対向する壁の他方に、リテーナ部が突設されており、前記開口部は、前記間隙と連通しつつ前記リテーナ部の挿入を許容する係止孔を備えて構成されており、
前記端子金具が正規の挿入姿勢のときには前記間隙を前記スタビライザが通過することで前記端子金具の挿入動作が許容される一方、前記端子金具が天地逆の挿入姿勢のときには前記ストッパ壁によって前記スタビライザが前記端子挿通口の開口縁周りに突き当たり前記端子金具の挿入動作が規制される構成としたことを特徴とする積層式コネクタ。
【請求項２】
前記ストッパ壁は、前記並列方向で隣接する端子収容室同士を区画する隔壁の頂部において前記端子挿通口の開口縁から前記端子収容室の長さ方向中間部にかけて延出していることを特徴とする請求項１に記載の積層式コネクタ。
【請求項３】
前記ハウジングのうち、前記開口部よりも前記端子金具の挿入方向前方には、両側に入れられたスリット間にて撓み変形可能とされることによって前記端子金具を弾性係止するランスが露出状態で設けられていることを特徴とする請求項１または請求項２に記載の積層式コネクタ。
【発明の詳細な説明】
【技術分野】
【０００１】
本発明は、ハウジングを複数積層してなる積層式コネクタに関する。
【背景技術】
【０００２】
積層式コネクタとして、例えば特許文献１には、端子金具を収容可能な端子収容室が並列して設けられた複数のハウジングを備え、これらハウジングが各端子収容室の並列方向と直交する方向に積層され、その積層状態を保って相手コネクタと嵌合可能としたものが開示されている。各端子収容室を囲む壁のうち、上面後半部は開放されており、ここに後方から端子金具が挿入されるようになっている。
【特許文献１】特開２００４−１１１２７９公報
【発明の開示】
【発明が解決しようとする課題】
【０００３】
ところで、例えば、端子金具の外面からスタビライザを突出させることにより、各端子収容室への端子金具の逆挿入を防止することが可能となる。仮に、上記した端子金具にスタビライザを付加するとなると、ハウジング側には、スタビライザを通過させるための逃がし溝を設ける必要がある。しかし、各端子収容室の四方を壁面で囲った上でその上壁面に有底の逃がし溝を削成した場合には、逃がし溝の溝底の厚みをハウジングの積層数加算した分、ハウジングの積層方向の寸法が顕著に増大化してしまうという問題がある。
【０００４】
本発明は上記のような事情に基づいて完成されたものであって、その目的とするところは、端子金具にスタビライザを設けても、ハウジングの積層方向の寸法増大化を抑えることが可能な積層式コネクタを提供することにある。
【課題を解決するための手段】
【０００５】
上記の目的を達成するための手段として、請求項１の発明は、一端に端子挿通口を有する複数の端子収容室が一段に並列して設けられて、各端子収容室の並列方向と直交する方向に複数積層されるハウジングと、外面からスタビライザが突出して設けられ、このスタビライザを前記ハウジングの積層方向に配しつつ前記端子挿通口から前記端子収容室へ挿入される端子金具とを備え、前記端子収容室を囲む壁のうち、前記ハウジングの積層方向で対向する壁の一方に、前記端子挿通口に通じる開口部が開設されるとともに、前記スタビライザが通過可能な間隙を残して前記開口部を閉止するストッパ壁が設けられており、前記端子収容室を囲む壁のうち、前記ハウジングの積層方向で対向する壁の他方に、リテーナ部が突設されており、前記開口部は、前記間隙と連通しつつ前記リテーナ部の挿入を許容する係止孔を備えて構成されており、前記端子金具が正規の挿入姿勢のときには前記間隙を前記スタビライザが通過することで前記端子金具の挿入動作が許容される一方、前記端子金具が天地逆の挿入姿勢のときには前記ストッパ壁によって前記スタビライザが前記端子挿通口の開口縁周りに突き当たり前記端子金具の挿入動作が規制される構成としたところに特徴を有する。
【０００６】
請求項２の発明は、請求項１に記載のものにおいて、前記ストッパ壁は、前記並列方向で隣接する端子収容室同士を区画する隔壁の頂部において前記端子挿通口の開口縁から前記端子収容室の長さ方向中間部にかけて延出しているところに特徴を有する。  
請求項３の発明は、請求項１または請求項２に記載のものにおいて、前記ハウジングのうち、前記開口部よりも前記端子金具の挿入方向前方には、両側に入れられたスリット間にて撓み変形可能とされることによって前記端子金具を弾性係止するランスが露出状態で設けられているところに特徴を有する。
【発明の効果】
【０００７】
＜請求項１の発明＞
端子収容室を囲む壁のうち、ハウジングの積層方向で対向する壁の一方に、端子挿通口に通じる開口部が開設されるとともに、スタビライザが通過可能な間隙を残して開口部を閉止する端子逆挿入防止用のストッパ壁が設けられているから、前記間隙をスタビライザの逃がし溝として代用でき、溝底の厚みが加算されない分、ハウジングの積層方向の寸法増大化を抑えることができる。
【０００８】
＜請求項２の発明＞
ストッパ壁が隣接する端子収容室同士を区画する隔壁の頂部において端子挿通口の開口縁から端子収容室の長さ方向中間部にかけて延出しているから、ストッパ壁の強度を高めることができる。  
＜請求項３の発明＞
ハウジングのうち、開口部よりも端子金具の挿入方向前方には、両側に入れられたスリット間にて撓み変形可能とされることによって端子金具を弾性係止するランスが露出状態で設けられているから、ランスの撓み方向に対向する壁が廃止された分、ハウジングの積層方向の寸法増大化を抑えることができる。
【発明を実施するための最良の形態】
【０００９】
＜実施形態１＞
本発明の実施形態１を図１ないし図１３によって説明する。本実施形態に係るコネクタは、雌型の端子金具３０を収容した雌コネクタを例示するものであって、端子金具３０を収容するハウジング１０を複数段に積層することによって構成され、その最上段には蓋材５０が装着されるようになっている。そして、コネクタは、図示しない相手側の雄コネクタとの嵌合によって端子金具３０が所定のジョイントパターンで接続されるようになっている。
【００１０】
端子金具３０は、金属板材を所定形状に打ち抜いたあと曲げ加工して形成され、図３に示すように、図示しない相手端子金具のタブを挿入可能な箱型の本体部３１とその後方に連なるバレル部３２，３３とからなり、バレル部３２，３３は、電線９０の端末に露出される芯線９２にかしめ付けられるワイヤバレル３２と、その後方にあって電線９０の端末被覆９１にかしめ付けられるインシュレーションバレル３３とからなる。本体部３１の上壁には、ハウジング１０に設けられたランス１１の係止突部１２が進入可能なランス孔３４が貫設されており、このランス孔３４の前端縁に、係止突部１２と端子金具３０の抜け方向で係止し合う抜け止め突部３５が叩き出しにより形成されている。そして、本体部３１の上壁後端の一側（前方から見て左側）には、端子逆挿入防止用のスタビライザ３６が起立方向（ハウジング１０の積層方向）に曲げ形成されている。
【００１１】
蓋材５０は、合成樹脂材により略方形板状に形成され、図２に示すように、その上面がフラットな平坦面とされる一方、その下面四隅に、最上段のハウジング１０に対するロック手段が設けられている。ロック手段は、蓋材５０の後部両端に配された左右一対のボス部６１と蓋材５０の前部両端に配された左右一対の弾性係止片７１とから構成されている。また、蓋材５０の下面の前後方向略中央部には、端子金具３０をランス１１とともに二重係止するためのリテーナ部８１が設けられている。なお、かかる蓋材５０の下面構造は、ハウジング１０の下面構造とほぼ同じであるため、上記したロック手段及びリテーナ部８１についてはハウジング１０の構造説明とあわせて後に詳述する。
【００１２】
ハウジング１０は、図示する場合は上段のハウジング１０と下段のハウジング１０とにより構成されている。両ハウジング１０は、いずれも同一形状とされ、下段と上段とに区別されることなく互換性をもって使用される。具体的にはハウジング１０は、合成樹脂材により平面視して略方形状をなし、端子金具３０を収容可能な複数の端子収容室１３が幅方向（左右方向）に列をなして設けられている。
【００１３】
端子収容室１３は、ハウジング１０の基板２１上に立設された隔壁１４によって幅方向で隣接する者同士が仕切られており、前後方向に延出するとともにハウジング１０の前後両面に開口する形態となっている。端子収容室１３の前面開口は、前方から相手端子金具のタブを誘い込むべく間口を窄めたタブ挿通口１３Ａとされ、端子収容室１３の後面開口は、後方から端子金具３０を挿入可能な端子挿通口１３Ｂとされている。そして、ハウジング１０には、端子収容室１３の四方を囲む壁のうち、上壁を所定形状に切り欠くことによって端子挿通口１３Ｂにも通じる開口部１８が開設されている。
【００１４】
開口部１８は、図３に示すように、ハウジング１０の前後方向略中央部に位置してリテーナ部８１の挿入を許容する係止孔１５と、この係止孔１５の後端一側と連通して後方へ延びハウジング１０の後面に開口するスタビライザ３６の逃がし孔１６と、係止孔１５の前端一側と連通して前方へ延びるスタビライザ３６の装着孔１７とからなる。このうち、係止孔１５からスタビライザ３６の逃がし孔１６にかけて連なる孔縁は、ストッパ壁１９の端縁によって縁取られる。
【００１５】
ストッパ壁１９は、端子収容室１３の上方を庇状に覆うように配され、相対向する両隔壁１４の、一の隔壁１４の上端から他の隔壁１４の上端へ向けて突出することにより、一の隔壁１４とともに断面Ｌの字状をなしている。またストッパ壁１９は、端子挿通口１３Ｂから端子収容室１３の前後方向中間部、詳しくは係止孔１５の後端にかけて延出する形態となっている。上記した逃がし孔１６は、ストッパ壁１９の側縁と他の隔壁１４との間に保有されるものである。そして、ストッパ壁１９の突出寸法は小さく設定されており、その分、逃がし孔１６の幅寸法が大きくなって、逃がし孔１６をスタビライザ３６が遊挿状態で通過可能となっている。端子金具３０が端子収容室１３に正規の挿入姿勢で挿入されると、スタビライザ３６が逃がし孔１６に進入するとともに、本体部３１がストッパ壁１９と基板２１との間に上下方向（ハウジング１０の積層方向）への遊動を規制された状態で進入するようになっている。なお、端子収容室１３内においてスタビライザ３６の上端と隔壁１４の上端はほぼ同じ位置に揃えられており、スタビライザ３６の上端に、上段のハウジング１０の下面または蓋材５０の下面が当接可能に配される。
【００１６】
ハウジング１０における開口部１８よりも前方領域、つまり端子収容室１３の上壁前半部は、端子金具３０を係止可能なランス１１の形成領域として構成される。すなわち、ここにはハウジング１０の前面から切り入れられた一対のスリット２２間にて上下方向に撓み変形可能とされたランス１１が露出状態で形成されている。ランス１１は、上壁前半部の開口部１８寄りの位置にその根元を接続させつつ隔壁１４の上端より一段下がるようにして前方へ突出する形態となっており、その下面に、端子金具３０のランス孔３４に進入して抜け止め突部３５と係止可能な係止突部１２が設けられている。また、ランス１１の前端中央部には、同ランス１１を端子金具３０から解離する方向へ撓ませることで端子金具３０との係止状態を解除するための解除治具（図示せず）が差し込まれる案内溝２３が、ハウジング１０の前面に開口して形成されている。
【００１７】
また、ハウジング１０の上面の後部両端には、左右一対のボス受け部６６が設けられている。ボス受け部６６は、ブロック状をなし、幅方向両端に位置する隔壁１４の後端外側面にも一体に接合されている。そして、ボス受け部６６には、上面に開口する有底の受け孔６７が設けられており、この受け孔６７に、上方からボス部６１が進入可能となっている。受け孔６７は平面視すると略楕円形であって、図９に示すように、上下方向に延びる主孔６７Ａとその孔底側面から後方へ延びハウジング１０の後面に開口する副孔６７Ｂとからなり、主孔６７Ａにボス部６１が挿入され、副孔６７Ｂの孔縁にボス部６１の係止突起６２が引っ掛け状態で係止されるようになっている。
【００１８】
そして、ハウジング１０には、幅方向両端に位置する隔壁１４の前部外側面に一体となって、左右一対の受け部７７が設けられている。受け部７７は、隔壁１４の上部外側面をテーパ状に切り欠くとともに、隔壁１４の下部外側面を断面コの字状に切り欠くことにより、断面矢じり状をなして前後方向に連なっている。受け部７７の先端部（上部）は、外側にテーパ面７８Ａを備えた受け爪７８とされ、この下面に弾性係止片７１の係止爪７２が引っ掛け状態で弾性係止可能とされている。また、ハウジング１０の基板２１の上面のうち、受け部７７の根元周りには、弾性係止片７１の先端を逃がすための凹所２９が凹み形成されている。
【００１９】
一方、ハウジング１０の下面（蓋材５０の下面を含む。以下同じ）の後部両端には、ボス受け部６６と略同軸で背中合わせとなる位置に、左右一対のボス部６１が突設されている。ボス部６１は、その下面から根元近くにかけて幅方向の切り込み６３が入れられており、この切り込み６３を挟んで前側に位置する基部６４と後側に位置する撓み部６５とに分断されている。撓み部６５は、基部６４よりも前後幅が狭く、切り込み６３内に撓み変形し易い構造となっている。そして、撓み部６５の下部後面には、受け孔６７（副孔６７Ｂ）の孔縁に弾性係止可能な係止突起６２が設けられている。ボス部６１は、受け孔６７への挿入過程で係止突起６２を受け孔６７の孔面に摺動させつつ撓み部６５が内側へ撓み変形することによって受け孔６７を通過可能とされ、受け孔６７（主孔６７Ａ）に正規挿入されると撓み部６５が弾性復帰して係止突起６２を副孔６７Ｂに進入係止させて、受け孔６７（主孔６７Ａ）に緊密に嵌入可能とされる。これにより、上下で隣接する両ハウジング１０が板面方向に位置ずれするのを防止できるようになっている。
【００２０】
また、図５に示すように、ハウジング１０の下面には、同ハウジング１０の前後方向略中央部であって各端子収容室１３と個別に対応する位置に横一列に配されたリテーナ部８１が突設されている。リテーナ部８１は、略角ブロック状をなし、図８に示すように、係止孔１５を通過したあと端子金具３０の本体部３１の後端顎部３７に係止することでこの端子金具３０を抜け止めするとともに、正規挿入状態にある端子金具３０にのみ係止することで端子金具３０の半挿入状態の有無を検知できるようになっている。
【００２１】
さらに、ハウジング１０の下面の前部両端には、受け部７７と背中合わせとなる位置に、左右一対の弾性係止片７１が突設されている。両弾性係止片７１は、その後方に配されたボス部６１を通る前後軸から内側へ少しオフセットした位置に配され、内外（幅方向）に撓み変形可能とされている。弾性係止片７１の下端には、受け部７７の受け爪７８に弾性係止可能な係止爪７２が内向きに突出して形成されている。弾性係止片７１は、相手ハウジング１０への積層過程で係止爪７２が受け爪７８のテーパ面７８Ａと摺接することによって外側へ拡開変形させられる一方、正規に積層されたときに弾性復帰して係止爪７２が受け爪７８に弾性係止するようになっている。これにより、上下で隣接する両ハウジング１０が積層状態を保つことができるようになっている。
【００２２】
次に、本実施形態の作用を説明する。まず、図１２及び図１３に示すように、ハウジング１０の端子収容室１３に後方から端子金具３０を挿入する。挿入過程で端子金具３０が正規の挿入姿勢をとっていると、図１０に示すように、スタビライザ３６が逃がし孔１６を通過することによって端子金具３０の挿入動作が許容される。その後、端子金具３０が端子収容室１３に正規深さで挿入されると、端子金具３０はランス１１によって抜け止め状態で一次係止される。これに対し、端子金具３０が天地逆転した挿入姿勢をとっていると、図１１に示すように、本体部３１の前半部分が端子収容室１３に挿入されるものの、ストッパ壁１９によって端子金具３０の上下方向の動きが拘束されることによってスタビライザ３６が端子挿通口１３Ｂの開口縁周り、詳しくはストッパ壁１９と対向する基板２１の後端縁に突き当たって、端子金具３０の挿入動作が規制される。
【００２３】
図４に示すように、全ての端子金具３０を対応する端子収容室１３に正規深さで挿入したら、続いて、下段のハウジング１０に対して上段のハウジング１０を重ね合わせる。すると、上段のハウジング１０のボス部６１が下段のハウジング１０のボス受け部６６に位置決め状態で凹凸嵌合するとともに、上段のハウジング１０の弾性係止片７１が下段のハウジング１０の受け部７７に抜け止め状態で弾性係止し、かつ、上段のハウジング１０のリテーナ部８１が端子金具３０に抜け止め状態で二次係止し、これにより両ハウジング１０が正規状態で合体化される。これらの係合構造は、両ハウジング１０の合体動作に伴ってほぼ同時に形成されるため、作業性は良好である。
【００２４】
次に、上記と同様にして上段のハウジング１０に上方から蓋材５０を被せ付け、蓋材５０によって上段のハウジング１０の開口部１８及びランス１１を覆い隠し、図１に示すように、所定の積層構造を形成する。なお、ハウジング１０は必要に応じて三層以上積層されてもよい。その後、コネクタは各ハウジング１０の積層状態を保ちつつ相手側の雄コネクタのフードに内嵌等されることとなる。
【００２５】
このように本実施形態によれば、端子収容室１３の上壁に、端子挿通口１３Ｂに通じる開口部１８が開設されるとともに、スタビライザ３６が通過可能な逃がし孔１６を残して開口部１８を閉止する端子逆挿入防止用のストッパ壁１９が設けられているから、逃がし孔１６が上下に貫通して従来における逃がし溝の溝底の厚みが加算されない分、ハウジング１０の積層方向の寸法増大化を抑えることができる。この場合にストッパ壁１９は、隔壁１４の上端において端子挿通口１３Ｂの開口縁から端子収容室１３の前後方向中間部に至る範囲にかけて長く延出しているから、その強度を高めることができる。
【００２６】
また、ハウジング１０における開口部１８より前方には、両側に入れられたスリット２２間にて撓み変形可能とされたランス１１が露出状態で配設されているから、ランス１１より上方の壁が無くなり、その分、ハウジング１０の積層方向の寸法増大化をより効率良く抑えることができる。
【００２７】
なお、本実施形態によれば、次の発明を把握することも可能である。  
・請求項１  端子金具を収容可能なハウジングを複数積層してなり、積層方向で隣接するハウジングのいずれか一方には他方側へ向けて弾性係止片が突出して設けられ、他方には前記弾性係止片に弾性係止されてその積層状態を保つ受け部が設けられており、さらに、前記一方のハウジングには位置決め部が設けられ、前記他方のハウジングには前記位置決め部に係合することで前記両ハウジング間の位置ずれを防止する位置決め受け部が設けられていることを特徴とする積層式コネクタ。  
弾性係止片７１と受け部７７の組み合わせのみによって両ハウジング１０の積層状態が保持される場合には、両ハウジング１０が板面方向に位置ずれして、端子接続位置がばらつくという不具合が起こり得る。しかしこれによれば、弾性係止片７１と受け部７７とによる係止作用に加え、位置決め部と位置決め受け部とによる位置決め作用が発揮されるので、両ハウジング１０間の位置ずれを防止でき、端子接続位置を正しく揃えることができる。
【００２８】
・請求項２  前記位置決め部と前記位置決め受け部のいずれか一方は他方側へ向けて突出するボス部とされ、他方は前記ボス部が嵌入可能な受け孔を備えていることを特徴とする請求項１に記載の積層式コネクタ。  
これにより、両ハウジング１０の積層動作に伴ってボス部６１を受け孔６７に嵌入させることができるから、作業性が良好となる。なお、上記実施形態１においては、ボス部６１に係止突起６２を設けることによって弾性係止片７１と受け部７７とによる係止構造とは別の補助的な係止構造を形成していたが、弾性係止片７１と受け部７７とによる係止構造が強固なものであれば、ボス部６１に係止突起６２を設ける必要はない。つまり、位置決め部と位置決め受け部は単に凹凸嵌合するだけでもよい。
【００２９】
・請求項３  前記ハウジングには、前記弾性係止片が設けられた面と背中合わせの面に前記受け部が設けられるとともに、前記位置決め部が設けられた面と背中合わせの面に前記位置決め受け部が設けられることを特徴とする請求項１または請求項２に記載の積層式コネクタ。  
これにより、ハウジング１０の表面スペースを有効に利用して、弾性係止片７１、受け部７７、位置決め部、位置決め受け部のそれぞれを設置することができる。また、各ハウジング１０の共有化を実現できる。
【００３０】
＜実施形態２＞
次に、本発明の実施形態２を図１４ないし図１９によって説明する。実施形態２では、端子収容室１３が幅方向に２室横並びで設置されており、実施形態１よりも少極となってハウジング１０Ａ全体が幅狭化されている。また、実施形態２では、ボス部６１とボス受け部６６とによる位置決め構造が具備されておらず、代わりに、ボス部６１の位置に弾性係止片７１が設けられるとともに、ボス受け部６６の位置に受け部７７が設けられており、したがって、弾性係止片７１と受け部７７とによる係止構造が前後合わせて２対設置されている。その他、開口部１８、リテーナ部８１、ストッパ壁１９が設けられている点、及びランス１１や端子金具３０の形状等については実施形態１と同様である。
【００３１】
ところで、ワイヤハーネスの組み付け現場において両端子金具の接続後に導通検査を行い、これによって検査合否の判定を行うわけであるが、実施形態２によれば、かかる導通検査を簡易かつ円滑に行うことが可能な手段を備えている。すなわち実施形態２では、図１９に示すように、各ハウジング１０Ａの両側面に治具挿通口２８が開口して形成されており、この治具挿通口２８に対し側方から図示しない導通検査用のプローブピンを挿抜可能となっている。
【００３２】
ここで、ハウジング１０Ａには、端子収容室１３及び開口部１８へ通じて開口部１８と同じ側に開口し、かつ端子収容室１３の長さ方向と略直交する方向に延びて治具挿通口２８へ至る治具通し溝２７が設けられている。治具通し溝２７は、図１５及び図１６に示すように、端子収容室１３に連なる位置でこの端子収容室１３に正規挿入された端子金具３０のインシュレーションバレル３３を臨むようになっており、ここにプローブピンが挿入されることでプローブピンの先端がインシュレーションバレル３３の外側面に接触するようになっている。そして、治具通し溝２７はその上段にハウジング１０Ａまたは蓋材５０が積層されることによって上面開口部分が閉止され、これにより四方が壁で囲まれるようになっている。
【００３３】
実施形態２から、次の発明を抽出することが可能となる。  
・請求項１  端子金具を収容可能な端子収容室が２列並んで設けられて、各端子収容室の並列方向と直交する方向に複数積層されるハウジングを備え、
前記端子収容室を囲む壁のうち、積層方向で対向する壁の一方には開口部が開設されており、かつ、  
前記ハウジングには、前記端子収容室及び前記開口部へ通じてこの開口部と同じ側に開口するとともに、前記端子収容室の端部が開口する端面と隣接する両側面に開口する導通検査用の治具通し溝が開設されていることを特徴とする積層式コネクタ。  
このように、治具通し溝２７が端子収容室１３及び開口部１８へ通じて開口部１８と同じ側に開口するとともにハウジング１０Ａの両側面に開口するようになっているから、治具通し溝２７が四方を壁で囲まれているものよりも、ハウジング１０Ａ成形時における型抜きの構成を簡素化でき、製造が容易となる。なお、実施形態２においては、各ハウジング１０Ａを積層したあと全体をカバーで包み込むことによって治具挿通口２８を外側から塞いでもよい。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）本発明によれば、隔壁からのストッパ壁の突出量を増して対向する隔壁との間隙を詰めることにより、逃がし孔の幅をスタビライザの厚み程度に狭めてもよい。こうすると、逃がし孔をスタビライザが通過する際、逃がし孔が案内機能を有することになる。  
（２）本発明によれば、例えば、スタビライザが端子金具の幅方向略中央部に設定されている場合、ストッパ壁を相対向する隔壁の上端両側から左右一対内向きに突出させてもよい。  
（３）本発明によれば、ランスの形成領域を無くすかあるいは別位置に設けることにより、ストッパ壁を余して端子収容室の上壁の全体を開口部としても構わない。
【図面の簡単な説明】
【００３５】
【図１】実施形態１に係る積層式コネクタの斜視図
【図２】上段のハウジングに蓋材が装着される前の状態を示す斜視図
【図３】ハウジングに端子金具を挿入する前の状態を示す斜視図
【図４】ハウジングに全ての端子金具を挿入した状態を示す平面図
【図５】積層式コネクタの底面図
【図６】積層式コネクタの正面図
【図７】積層式コネクタの背面図
【図８】端子金具の係止領域で切った積層式コネクタの側断面図
【図９】ハウジング同士の係止領域で切った積層式コネクタの側断面図
【図１０】ハウジングに端子金具が正規の挿入姿勢で挿入される状態を示す斜視図
【図１１】ハウジングに端子金具が天地逆の挿入姿勢で挿入規制される状態を示す斜視図
【図１２】ハウジングに端子金具を挿入する前の状態を示す側面図
【図１３】ハウジングに端子金具を挿入する前の状態を示す平面図
【図１４】実施形態２に係る積層式コネクタのハウジングの斜視図
【図１５】積層式コネクタの斜視図
【図１６】積層式コネクタの平面図
【図１７】積層式コネクタの正面図
【図１８】積層式コネクタの背面図
【図１９】積層式コネクタの側面図
【符号の説明】
【００３６】
１０，１０Ａ…ハウジング
１１…ランス
１３…端子収容室
１６…逃がし孔（間隙）
１８…開口部
１９…ストッパ壁
３０…端子金具
３６…スタビライザ
６１…ボス部
６６…ボス受け部
７１…弾性係止片
７７…受け部
９０…電線
【図１】
0004534979.tif 000002
【図２】
0004534979.tif 000003
【図３】
0004534979.tif 000004
【図４】
0004534979.tif 000005
【図５】
0004534979.tif 000006
【図６】
0004534979.tif 000007
【図７】
0004534979.tif 000008
【図８】
0004534979.tif 000009
【図９】
0004534979.tif 000010
【図１０】
0004534979.tif 000011
【図１１】
0004534979.tif 000012
【図１２】
0004534979.tif 000013
【図１３】
0004534979.tif 000014
【図１４】
0004534979.tif 000015
【図１５】
0004534979.tif 000016
【図１６】
0004534979.tif 000017
【図１７】
0004534979.tif 000018
【図１８】
0004534979.tif 000019
【図１９】
0004534979.tif 000020